(57)【要約】  【課題】エンジンの製造コストを低廉にすることができるエンジンのＥＧＲ装置を提供する。  【解決手段】排気経路１がＥＧＲ経路２で吸気経路３に連通された、エンジンのＥＧＲ装置において、ＥＧＲ経路２が、シリンダヘッド４の排気ポート５から導出されたＥＧＲガス導出孔６と、ＥＧＲガス導出孔６に接続されたＥＧＲガス導出管７とで構成され、ＥＧＲガス導出管７の入口端部７ａはＥＧＲガス導出孔６に挿入されて接続され、ＥＧＲガス導出管７の出口端部７ｂは吸気入口管１１に接続され、ＥＧＲガス導出管７はその周壁からＥＧＲガス８の熱を大気中に放熱するように構成され、水冷式ＥＧＲクーラのないＥＧＲ経路２が形成されている。【選択図】    図２
2014190172.tif 000002
【特許請求の範囲】
【請求項１】
排気経路(１)がＥＧＲ経路(２)で吸気経路(３)に連通された、エンジンのＥＧＲ装置において、
ＥＧＲ経路(２)が、シリンダヘッド(４)の排気ポート(５)から導出されたＥＧＲガス導出孔(６)と、ＥＧＲガス導出孔(６)に接続されたＥＧＲガス導出管(７)とで構成され、ＥＧＲガス導出管(７)の入口端部(７ａ)はＥＧＲガス導出孔(６)に挿入されて接続され、ＥＧＲガス導出管(７)の出口端部(７ｂ)は吸気入口管(１１)に接続され、ＥＧＲガス導出管(７)はその周壁からＥＧＲガス(８)の熱を大気中に放熱するように構成され、水冷式ＥＧＲクーラのないＥＧＲ経路(２)が形成されている、ことを特徴とするエンジンのＥＧＲ装置。
【請求項２】
請求項１に記載されたエンジンのＥＧＲ装置において、
ＥＧＲガス導出管(７)の周壁に放熱フィン(９)が形成されている、ことを特徴とするエンジンのＥＧＲ装置。
【請求項３】
請求項１または請求項２に記載されたエンジンのＥＧＲ装置において、
ＥＧＲガス導出管(７)の出口側端部(７ｂ)が吸気入口管(１１)に螺旋状に巻き付けられ、吸気入口管(１１)の周壁にＥＧＲガス導出管(７)の出口側端部(７ｂ)の旋回方向に所定間隔を保持した複数のＥＧＲガス導入孔(１２)が設けられている、ことを特徴とするエンジンのＥＧＲ装置。
【請求項４】
請求項３に記載されたエンジンのＥＧＲ装置において、
ＥＧＲガス導入孔(１２)は、吸気入口管(１１)の吸気下流側のものよりも、吸気上流側のものの方が、開口面積が大きく形成されている、ことを特徴とするエンジンのＥＧＲ装置。
【請求項５】
請求項１から請求項４のいずれかに記載されたエンジンのＥＧＲ装置において、
排気経路(２)はＥＧＲ弁のない常時開通状態とされている、ことを特徴とするエンジンのＥＧＲ装置。
【発明の詳細な説明】
【技術分野】
【０００１】
本発明は、エンジンのＥＧＲ装置に関し、詳しくは、エンジンの製造コストを低廉にすることができるエンジンのＥＧＲ装置に関する。
【背景技術】
【０００２】
従来、図３に示すように、エンジンのＥＧＲ装置として、排気経路(１０１)がＥＧＲ経路(１０２)で吸気経路(１０３)に連通されたものがある(例えば、特許文献１参照)。
【０００３】
この種のＥＧＲ装置によれば、排気の一部がＥＧＲガス(１０８)として吸気に還流され、ＮＯＸの発生が抑制される利点がある。
【０００４】
しかし、この従来技術では、ＥＧＲ経路(１０２)が、排気マニホルド(１１３)に形成されたＥＧＲガス導出管(１０７)と、ＥＧＲガス導出管(１０７)のガス導出端部(１０７ｂ)に接続された水冷式ＥＧＲクーラ(１１５)で構成されているため、問題がある。
【先行技術文献】
【特許文献】
【０００５】
【特許文献１】特開２００７−８５３０１号公報(図１参照)
【発明の概要】
【発明が解決しようとする課題】
【０００６】
《問題点》  エンジンの製造コストが高くなる。
水冷式ＥＧＲクーラ(１１５)が用いられているため、エンジンの製造コストが高くなる。
また、ＥＧＲ仕様エンジンと非ＥＧＲ仕様エンジンとを造り分ける場合には、ＥＧＲガス導出管(１０７)が形成された排気マニホルド(１１３)とＥＧＲガス導出管(１０７)が形成されていない排気マニホルドの２種類を使い分ける必要があり、この点もエンジンの製造コストが高くなる要因となっている。
【０００７】
本発明の課題は、エンジンの製造コストを低廉にすることができるエンジンのＥＧＲ装置を提供することにある。
【課題を解決するための手段】
【０００８】
請求項１に係る発明の発明特定事項は、次の通りである。
図２に例示するように、排気経路(１)がＥＧＲ経路(２)で吸気経路(３)に連通された、エンジンのＥＧＲ装置において、
図２に例示するように、ＥＧＲ経路(２)が、シリンダヘッド(４)の排気ポート(５)から導出されたＥＧＲガス導出孔(６)と、ＥＧＲガス導出孔(６)に接続されたＥＧＲガス導出管(７)とで構成され、ＥＧＲガス導出管(７)の入口端部(７ａ)はＥＧＲガス導出孔(６)に挿入されて接続され、ＥＧＲガス導出管(７)の出口端部(７ｂ)は吸気入口管(１１)に接続され、ＥＧＲガス導出管(７)はその周壁からＥＧＲガス(８)の熱を大気中に放熱するように構成され、水冷式ＥＧＲクーラのないＥＧＲ経路(２)が形成されている、ことを特徴とするエンジンのＥＧＲ装置。
【発明の効果】
【０００９】
(請求項１に係る発明)
請求項１に係る発明は、次の効果を奏する。
《効果》  エンジンの製造コストを低廉にすることができる。
図２に例示するように、ＥＧＲ経路(２)が、シリンダヘッド(４)の排気ポート(５)から導出されたＥＧＲガス導出孔(６)と、ＥＧＲガス導出孔(６)に接続されたＥＧＲガス導出管(７)とで構成され、ＥＧＲガス導出管(７)の入口端部(７ａ)はＥＧＲガス導出孔(６)に挿入されて接続され、ＥＧＲガス導出管(７)の出口端部(７ｂ)は吸気入口管(１１)に接続され、ＥＧＲガス導出管(７)はその周壁からＥＧＲガス(８)の熱を大気中に放熱するように構成され、水冷式ＥＧＲクーラのないＥＧＲ経路(２)が形成されているので、簡易なＥＧＲガス導出管(７)を用いて、水冷式ＥＧＲクーラを設ける必要をなくし、エンジンの製造コストを低廉にすることができる。
また、ＥＧＲ仕様エンジンと非ＥＧＲ仕様エンジンとを造り分ける場合には、シリンダヘッド(４)にＥＧＲガス導出孔(６)を穿設するか否かを選択するのみでよく、複数種の排気マニホルドを使い分ける必要がなく、この点でもエンジンの製造コストを低廉にできる。
【００１０】
(請求項２に係る発明)
請求項２に係る発明は、請求項１に係る発明の効果に加え、次の効果を奏する。
《効果》  ＥＧＲガス導出管の放熱性が高い。
図１(Ａ)、図２に例示するように、ＥＧＲガス導出管(７)の周壁に放熱フィン(９)が形成されているので、ＥＧＲガス導出管(７)の放熱性が高い。
【００１１】
《効果》  ＥＧＲガス導出管の強度を高めることができる。
図１(Ａ)、図２に例示するように、ＥＧＲガス導出管(７)の周壁に放熱フィン(９)が形成されているので、放熱フィン(９)でＥＧＲガス導出管(７)の強度を高めることができる。
【００１２】
(請求項３に係る発明)
請求項３に係る発明は、請求項１または請求項２に係る発明の効果に加え、次の効果を奏する。
《効果》  吸気にＥＧＲガスが均一に混合される。
図１(Ａ)、図２に例示するように、ＥＧＲガス導出管(７)の出口側端部(７ｂ)が吸気入口管(１１)に螺旋状に巻き付けられ、吸気入口管(１１)の周壁にＥＧＲガス導出管(７)のガス出口側端部(７ｂ)の旋回方向に所定間隔を保持した複数のＥＧＲガス導入孔(１２)が設けられているので、吸気入口管(１１)内を通過する吸気(１６)に複数のＥＧＲガス導入孔(１２)からＥＧＲガス(８)が混入され、吸気(１６)にＥＧＲガス(８)が均一に混合される。
【００１３】
(請求項４に係る発明)
請求項４に係る発明は、請求項３に係る発明の効果に加え、次の効果を奏する。
《効果》  吸気にＥＧＲガスが均一に混合される。
図１(Ａ)に例示するように、ＥＧＲガス導入孔(１２)は、吸気入口管(１１)の吸気下流側のものよりも、吸気上流側のものの方が、開口面積が大きく形成されているので、吸気(１６)との混合経路が長い吸気上流側のＥＧＲガス導入孔(１２)からＥＧＲガス(８)が吸気(１６)に多く供給され、吸気(１６)との混合経路が短い吸気上流側のＥＧＲガス導入孔(１２)からＥＧＲガス(８)が吸気(１６)に少なく供給され、吸気(１６)との混合経路の長さとＥＧＲガス(８)の供給量とのバランスがとれ、吸気(１６)にＥＧＲガス(８)が均一に混合される。
【００１４】
(請求項５に係る発明)
請求項５に係る発明は、請求項１から請求項４のいずれかに係る発明の効果に加え、次の効果を奏する。
《効果》  エンジンの製造コストを低廉にすることができる。
図２に例示するように、排気経路(２)はＥＧＲ弁のない常時開通状態とされているので、エンジンの製造コストを低廉にすることができる。
【００１５】
《効果》  エンジンのメンテナンスが容易になる。
図２に例示するように、ＥＧＲ経路(２)に水冷式ＥＧＲクーラやＥＧＲ弁がないため、エンジンのメンテナンスが容易になる。
【図面の簡単な説明】
【００１６】
【図１】本発明の実施形態に係るエンジンのＥＧＲ装置を説明する図で、図１(Ａ)はＥＧＲガス導出管の出口側端部と吸気入口管の横断平面図  、図１(Ｂ)は図１(Ａ)のＢ−Ｂ線断面図である。
【図２】本発明の実施形態に係るＥＧＲ装置を備えたエンジンの模式平面図である。
【図３】従来技術の平面図である。
【発明を実施するための形態】
【００１７】
図１〜図３は本発明の実施形態に係るエンジンのＥＧＲ装置を説明する図であり、この実施形態では、立形の直列４気筒ディーゼルエンジンのＥＧＲ装置について説明する。
【００１８】
このエンジンの概要は、次の通りである。
図２に示すように、シリンダブロック(１７)の上部にシリンダヘッド(４)が組み付けられ、シリンダヘッド(４)の横一側に排気経路(１)が取り付けられ、シリンダヘッド(４)の横他側に吸気経路(３)が取り付けられている。
排気経路(１)は排気マニホルド(１３)、吸気経路(３)は吸気マニホルド(１８)である。このエンジンは、ＥＧＲ装置(１９)を備えている。
【００１９】
ＥＧＲ装置(１９)の構成は、次の通りである。
図２に示すように、排気経路(１)がＥＧＲ経路(２)で吸気経路(３)に連通されている。
図２に例示するように、ＥＧＲ経路(２)が、シリンダヘッド(４)の排気ポート(５)から導出されたＥＧＲガス導出孔(６)と、ＥＧＲガス導出孔(６)に接続されたＥＧＲガス導出管(７)とで構成され、ＥＧＲガス導出管(７)の入口端部(７ａ)はＥＧＲガス導出孔(６)に挿入されて接続され、ＥＧＲガス導出管(７)の出口端部(７ｂ)は吸気入口管(１１)に接続され、ＥＧＲガス導出管(７)はその周壁からＥＧＲガス(８)の熱を大気中に放熱するように構成され、水冷式ＥＧＲクーラのないＥＧＲ経路(２)が形成されている。
【００２０】
ＥＧＲガス導出孔(６)は、最後部の第４気筒の排気ポート(５)から導出されている。ＥＧＲガス導出孔(６)は、シリンダヘッド(４)の後端面から排気ポート(５)に向けて穿設されたキリ孔である。吸気入口管(１１)は吸気マニホルド(１８)のコレクタ(２０)から導出され導出されている。吸気入口管(１１)にはエアクリーナ(図示せず)から導出された吸気導出管(２１)が接続される。
【００２１】
図１(Ａ)、図２に示すように、ＥＧＲガス導出管(７)の周壁に放熱フィン(９)が形成されている。
図１(Ａ)、図２に示すように、ＥＧＲガス導出管(７)の出口側端部(７ｂ)が吸気入口管(１１)に螺旋状に巻き付けられ、吸気入口管(１１)の周壁にＥＧＲガス導出管(７)の出口側端部(７ｂ)の旋回方向に所定間隔を保持した複数のＥＧＲガス導入孔(１２)が設けられている。
図１(Ａ)に示すように、ＥＧＲガス導入孔(１２)は、吸気入口管(１１)の吸気下流側のものよりも、吸気上流側のものの方が、開口面積が大きく形成されている。
図２に示すように、排気経路(２)はＥＧＲ弁のない常時開通状態とされている。
ＥＧＲガス導出管(７)の出口側端部(７ｂ)は吸気入口管(１１)に溶接で固定されている。
【符号の説明】
【００２２】
(１) 排気経路
(２) ＥＧＲ経路
(３) 吸気経路
(４) シリンダヘッド
(５) 排気ポート
(６) ＥＧＲガス導出孔
(７) ＥＧＲガス導出管
(７ａ) 入口端部
(７ｂ) 出口端部
(８) ＥＧＲガス
(９) 放熱フィン
(１１) 吸気入口管
(１２) ＥＧＲガス導入孔
(１３) 排気マニホルド
(１６) 吸気
【図１】
2014190172.tif 000003
【図２】
2014190172.tif 000004
【図３】
2014190172.tif 000005